(57)【特許請求の範囲】
【請求項１】
戸板の両側上端にランナーを配設し、上レール内に各ランナーを走行自在に係合させて、同戸板を引き違い状に吊り下げ支持してなる吊り下げ式引き違い戸であって、戸板の全開位置でこの戸板の両側上端に配設された各ランナーが位置する部位において上レールに各ランナーを出し入れする開口部を形成し、同戸板を全開位置に至る直前で停止させる取り外し可能なストッパー手段を設けてなる吊り下げ式引き違い戸。
【請求項２】
上レールの端部付近に形成した開口部にキャッチャー部材を取り外し可能に取り付け、該キャッチャー部材にはランナーと着脱自在に係合する係止部を形成して、同キャッチャー部材をストッパー手段として設けたことを特徴とする請求項１記載の吊り下げ式引き違い戸。
【請求項３】
キャッチャー部材を開口部に嵌め込んで取り付けたことを特徴とする請求項２記載の吊り下げ式引き違い戸。
【請求項４】
一方の戸板に他方の戸板と当接して両戸板が全開位置に至るのを阻止する戸当り部材を取り外し可能に取り付け、該戸当り部材をストッパー手段として設けたことを特徴とする請求項１記載の吊り下げ式引き違い戸。
【請求項５】
前面に開口した収納家具の該開口前面部に両戸板を引き違い状に設け、手前側の戸板の開閉側端部後方に戸当り部材を突出させて取り付けたことを特徴とする請求項４記載の吊り下げ式引き違い戸。
【請求項６】
戸板の両側下端にガイドピンを配設し、該ガイドピンを下レールにスライド自在に係合させると共に、該下レールから同ガイドピンを上昇移動させることで取り外し可能としたことを特徴とする請求項１〜５のいずれか一つに記載の吊り下げ式引き違い戸。
【発明の詳細な説明】
【０００１】
【発明の属する技術分野】
本発明は、収納家具の開口前面部等に設けられ、戸板を引き違い状に吊り下げ支持してなる吊り下げ式引き違い戸に関するものである。
【０００２】
【従来の技術】
従来から、図１３に示す如く、台所の壁等に付設される収納家具９の開口前面部１０に設けられ、戸板１（手前側の戸板１ａ、後側の戸板１ｂ）を引き違い状に吊り下げ支持してなる吊り下げ式引き違い戸は知られている。この場合、戸板１の両側上端にランナー２が配設され、上レール３内に各ランナー２が走行自在に係合されることで、同戸板１は引き違い状に吊り下げ支持されている。又、戸板１の両側下端にはガイドピン１２が配設され、該ガイドピン１２は下レール１３にスライド自在に係合されている。
【０００３】
したがって、該吊り下げ式引き違い戸においては、ランナー２と上レール３とによる上吊り式でありながら、ガイドピン１２と下レール１３とにより下側でもガイドされ、両戸板１をスムーズに引き違い状に開閉することができる。そして、いずれか一方の戸板１を開閉して、収納家具９内に収容保管された食器、調理道具等の台所用品を出し入れすることができる。
【０００４】
【発明が解決しようとする課題】
しかしながら、上記従来の技術にあっては、上レール３内に各ランナー２が係合されていて、各ランナー２を同上レール３から容易には取り外すことができないため、走行により磨耗或いは破損し易い各ランナー２のメンテナンスを行うことは困難であった。又、戸板１を収納家具９の開口前面部１０から取り外すことも困難であり、同戸板１の裏面や収納家具９内全体を清掃し難いものであった。この場合、戸板１に対して各ランナー２を着脱自在に取り付けることも考えられるが、この場合にあっても、各ランナー２は上レール３内に残存してしまい、各ランナー２のメンテナンスを行うことが困難である。
【０００５】
本発明は、上記従来の技術における問題を悉く解決するために発明されたもので、その課題は、戸板と共に各ランナーを上レールから容易に取り外すことができて、メンテナンスや清掃作業を簡単に行うことができ、通常の開閉時には各ランナーが外れることなく確実に走行される吊り下げ式引き違い戸を提供することである。
【０００６】
【課題を解決するための手段】
本発明の請求項１記載の吊り下げ式引き違い戸は、戸板の両側上端にランナーを配設し、上レール内に各ランナーを走行自在に係合させて、同戸板を引き違い状に吊り下げ支持してなる吊り下げ式引き違い戸であって、戸板の全開位置でこの戸板の両側上端に配設された各ランナーが位置する部位において上レールに各ランナーを出し入れする開口部を形成し、同戸板を全開位置に至る直前で停止させる取り外し可能なストッパー手段を設けてなる。
【０００７】
したがって、この場合、戸板の全開位置で各ランナーが位置する部位において上レールに各ランナーを出し入れする開口部を形成しているので、戸板を全開位置に移動させることによって、各ランナーを同開口部から出し入れすることができ、同戸板と共に各ランナーを同上レールから容易に取り外すことができる。そのため、各ランナーのメンテナンスや戸板の裏面の清掃作業を簡単に行うことができ、作業後に同戸板と共に各ランナーを容易に取り付けることもできる。
【０００８】
しかも、戸板を全開位置に至る直前で停止させる取り外し可能なストッパー手段を設けているので、通常の開閉時には戸板が全開位置に至る直前でストッパー手段により停止されて、各ランナーは前記開口部に至ることがなく、各ランナーは上レールからの外れが防止されて比較的大きな範囲で確実に走行される。そして、ストッパー手段を取り外すことで、戸板は全開位置に移動させられるようになり、前記の如く、同戸板と共に各ランナーを上レールから容易に取り外すことができる。
【０００９】
本発明の請求項２記載の吊り下げ式引き違い戸は、上記請求項１記載の吊り下げ式引き違い戸において、上レールの端部付近に形成した開口部にキャッチャー部材を取り外し可能に取り付け、該キャッチャー部材にはランナーと着脱自在に係合する係止部を形成して、同キャッチャー部材をストッパー手段として設けたことを特徴としている。
【００１０】
したがって、この場合は特に、上レールの端部付近に形成した開口部にキャッチャー部材を取り外し可能に取り付け、該キャッチャー部材がストッパー手段となるので、同キャッチャー部材を取り付けた通常状態では、該キャッチャー部材にランナーが当止して戸板は全開位置に至る直前で停止され、同キャッチャー部材を取り外すことで、同戸板は全開位置に移動させられるようになって、各ランナーを開放された開口部から出し入れすることができる。そして、キャッチャー部材にはランナーと着脱自在に係合する係止部を形成しているので、該キャッチャー部材の係止部にランナーが係合して、戸板は全開位置に至る直前で停止された開状態に保持され、その使い勝手が良好となる。
【００１１】
本発明の請求項３記載の吊り下げ式引き違い戸は、上記請求項２記載の吊り下げ式引き違い戸において、キャッチャー部材を開口部に嵌め込んで取り付けたことを特徴としている。
【００１２】
したがって、この場合は特に、上記キャッチャー部材を開口部に嵌め込んで取り付けているので、該開口部に対して同キャッチャー部材を容易に着脱させることができ、ストッパー手段の取り付け取り外し作業は簡単となる。
【００１３】
本発明の請求項４記載の吊り下げ式引き違い戸は、上記請求項１記載の吊り下げ式引き違い戸において、一方の戸板に他方の戸板と当接して両戸板が全開位置に至るのを阻止する戸当り部材を取り外し可能に取り付け、該戸当り部材をストッパー手段として設けたことを特徴としている。
【００１４】
したがって、この場合は特に、一方の戸板に他方の戸板と当接して両戸板が全開位置に至るのを阻止する戸当り部材を取り外し可能に取り付け、該戸当り部材がストッパー手段となるので、同戸当り部材を取り付けた通常状態では、該戸当り部材と戸板とが当接していずれの戸板も全開位置に至る直前で停止され、同戸当り部材を取り外すことで、いずれの戸板も全開位置に移動させられるようになって、各ランナーを開口部から出し入れすることができる。
【００１５】
本発明の請求項５記載の吊り下げ式引き違い戸は、上記請求項４記載の吊り下げ式引き違い戸において、前面に開口した収納家具の該開口前面部に両戸板を引き違い状に設け、手前側の戸板の開閉側端部後方に戸当り部材を突出させて取り付けたことを特徴としている。
【００１６】
したがって、この場合は特に、前面に開口した収納家具の該開口前面部に両戸板を引き違い状に設け、手前側の戸板の開閉側端部後方に上記戸当り部材を突出させて取り付けているので、該戸当り部材は通常の開閉時に邪魔にならず、後側に隠されて外観にも支障を来さない。
【００１７】
本発明の請求項６記載の吊り下げ式引き違い戸は、上記請求項１〜５のいずれか一つに記載の吊り下げ式引き違い戸において、戸板の両側下端にガイドピンを配設し、該ガイドピンを下レールにスライド自在に係合させると共に、該下レールから同ガイドピンを上昇移動させることで取り外し可能としたことを特徴としている。
【００１８】
したがって、この場合は特に、戸板の両側下端にガイドピンを配設し、該ガイドピンを下レールにスライド自在に係合させているので、ランナーと上レールとによる上吊り式でありながら、同ガイドピンと下レールとにより下端両側でもスムーズにガイドされ、戸板を相互に干渉することなく引き違い状に開閉することができる。そして、前記ガイドピンは上昇移動させることで下レールから取り外し可能となっているので、該ガイドピンを戸板と共に同下レールから支障なく取り外すことができる。
【００１９】
【発明の実施の形態】
図１〜８は、本発明の請求項１〜３、６に対応する一実施形態を示し、該実施形態の吊り下げ式引き違い戸は、戸板１（手前側の戸板1a、後側の戸板1b）の両側上端にランナー２を配設し、上レール３内に各ランナー２を走行自在に係合させて、同戸板１を引き違い状に吊り下げ支持してなるものであって、戸板１の全開位置でこの戸板１の両側上端に配設された各ランナー２が位置する部位において上レール３に各ランナー２を出し入れする開口部４を形成し、同戸板１を全開位置に至る直前で停止させる取り外し可能なストッパー手段５を設けてなる。
【００２０】
該実施形態の吊り下げ式引き違い戸では、上レール３の端部付近に形成した開口部４にキャッチャー部材６を取り外し可能に取り付け、該キャッチャー部材６にはランナー２と着脱自在に係合する係止部７を形成して、同キャッチャー部材６をストッパー手段５として設けている。この場合、キャッチャー部材６を開口部４に嵌め込んで取り付けている。又、戸板１の両側下端にガイドピン１２を配設し、該ガイドピン１２を下レール１３にスライド自在に係合させると共に、該下レール１３から同ガイドピン１２を上昇移動させることで取り外し可能としてもいる。
【００２１】
又、該実施形態の吊り下げ式引き違い戸は、台所の壁等に付設される収納家具９の開口前面部１０に設けられている。この場合、図２に示す如く、収納家具９の天板９１の前端に上レール３が取着固定され、底板９２の前端に下レール１３が取着固定されている。そして、いずれか一方の戸板１を開閉して、収納家具９内に収容保管された食器、調理道具等の台所用品を出し入れすることができ、その際、図１に示す如く、手前側の戸板１ａは開閉側端部１１から移動距離αの範囲でスライド開閉され、後側の戸板１ｂも同手前側の戸板１ａと反対側の端部から同じ移動距離αの範囲でスライド開閉される。
【００２２】
すなわち、戸板１が全開位置に至る直前で停止させられる位置は移動距離αの最端位置であり、ストッパー手段５となるキャッチャー部材６が取り外され、同移動距離αより更に距離βだけ移動されると全開位置となる。又、図７、８に示す如く、手前側の戸板１ａでみると、該戸板１ａの開閉側端部１１側（図面向かって右側）のランナー２は通常の移動距離αから更に距離βだけ移動されて、上レール３の略中央に位置する開口部４から出し入れされ、反対側（図面向かって左側）のランナー２は通常の移動距離αから更に距離βだけ移動されて、同上レール３の端部付近に位置する開口部４から出し入れされる。後側の戸板１ｂでみても左右が逆になるだけで、前記手前側の戸板１ａにおけると同様である。
【００２３】
このように、二枚の戸板１ａ、１ｂが引き違い状に吊り下げ支持されるので、図２に示す如く、上レール３には二つの移動スペース１４が区画形成され並設されている。移動スペース１４は下方に開口した溝型で、その両側溝縁片部１５が走行軌道となる。又、両移動スペース１４には各二つづつのランナー２が走行自在に係合されており、各ランナー２はその両側に転動車１６を有している。そして、両側の転動車１６が前記溝縁片部１５上を転動することで、各ランナー２は上レール３の移動スペース１４内で走行自在となっている。
【００２４】
ランナー２にはその走行方向の前後に係止ローラー１７が突設されており、図５に示す如く、該係止ローラー１７はストッパー手段５となるキャッチャー部材６の係止部７と着脱自在に係合される。図６にも示す如く、ストッパー手段５となるキャッチャー部材６は合成樹脂製ブロック成形品で、上レール３の端部付近、すなわち、一方の移動スペース１４の片側端部付近と他方の移動スペース１４の反対側端部付近に配置される開口部４に各々嵌め込まれ取り付けられている。
【００２５】
この場合、図４に示す如く、移動スペース１４の両側溝縁片部１５にランナー２全体と対応する大きさの切欠凹所が形成され、該切欠凹所によって同移動スペース１４の両側溝縁片部１５間に開口部４は形成されており、該開口部４にキャッチャー部材６が着脱自在に嵌着される。又、図３に示す如く、戸板１の上端縁には上枠１８が設けられており、該上枠１８の両端部に配設されるコーナーブロック１９に各々ランナー２は取着固定されている。
【００２６】
図１、２に示す如く、戸板１の両側下端に配設されるガイドピン１２は、上昇移動させることで下レール１３から取り外し可能なものである。下レール１３には二条のガイド溝２０が並設形成されており、両ガイド溝２０には各二つづつのガイドピン１２が摺動自在に係合されている。この場合、ガイドピン１２は戸板１の両側下端部分に上下スライド自在に保持されており、自重で下レール１３のガイド溝２０に対し摺動自在に係合されている。そのため、ガイドピン１２はガイド溝２０と常に摺接して確実に摺動ガイドされ、又、上方へスライド移動させることで容易に下レール１３の同ガイド溝２０から取り外されるものである。
【００２７】
したがって、該実施形態の吊り下げ式引き違い戸においては、戸板１の全開位置で各ランナー２が位置する部位において上レール３に各ランナー２を出し入れする開口部４を形成しているので、ストッパー手段５を取り外し、戸板１を全開位置に移動させることによって、各ランナー２を同開口部４から出し入れすることができ、同戸板１と共に各ランナー２を同上レール３から一括して容易に取り外すことができる。そのため、各ランナー２のメンテナンスや戸板１の裏面、収納家具９内全体等の清掃作業を簡単に行うことができ、作業後に同戸板１と共に各ランナー２を容易に取り付けることもできる。
【００２８】
しかも、戸板１を全開位置に至る直前で停止させる取り外し可能な前記ストッパー手段５を設けているので、通常の開閉時には戸板１が全開位置に至る直前でストッパー手段５により停止されて、各ランナー２は前記開口部４に至ることがなく、各ランナー２は上レール３からの外れが防止されて比較的大きな範囲で確実に走行される。そして、ストッパー手段５を取り外すことで、戸板１は全開位置に移動させられるようになり、前記の如く、同戸板１と共に各ランナー２を上レール３から容易に取り外すことができる。
【００２９】
又、該実施形態の吊り下げ式引き違い戸においては、上レール３の端部付近に形成した開口部４にキャッチャー部材６を取り外し可能に取り付け、該キャッチャー部材６が前記ストッパー手段５となるので、同キャッチャー部材６を取り付けた通常状態では、該キャッチャー部材６にランナー２が当止して戸板１は全開位置に至る直前で停止され、同キャッチャー部材６を取り外すことで、同戸板１は全開位置に移動させられるようになって、各ランナー２を開放された開口部４から出し入れすることができる。
【００３０】
そして、キャッチャー部材６にはランナー２と着脱自在に係合する係止部７を形成しているので、該キャッチャー部材６の係止部７にランナー２が係合することによって、戸板１は全開位置に至る直前で停止された開状態に保持され、その使い勝手が良好となっている。又、この場合、キャッチャー部材６を開口部４に嵌め込んで取り付けているので、該開口部４に対して同キャッチャー部材６を容易に着脱させることができ、ストッパー手段５の取り付け取り外し作業は簡単となっている。
【００３１】
更に、該実施形態の吊り下げ式引き違い戸においては、戸板１の両側下端にガイドピン１２を配設し、該ガイドピン１２を下レール１３にスライド自在に係合させているので、ランナー２と上レール３とによる上吊り式でありながら、同ガイドピン１２と下レール１３とにより同戸板１の下端両側でもスムーズにガイドされ、前後の戸板１を相互に干渉することなく引き違い状に開閉することができる。又、ガイドピン１２は上方へスライド移動させることにより下レール１３から容易に取り外されるので、該ガイドピン１２を戸板１と共に同下レール１３から支障なく取り外すことができる。
【００３２】
図９〜１２は、本発明の請求項１、４〜６に対応する別の実施形態を示し、該実施形態の吊り下げ式引き違い戸においては、一方の戸板１ａに他方の戸板１ｂと当接して両戸板１が全開位置に至るのを阻止する戸当り部材８を取り外し可能に取り付け、該戸当り部材８をストッパー手段５として設けている。この場合、前面に開口した収納家具９の該開口前面部１０に両戸板１を引き違い状に設け、手前側の戸板１ａの開閉側端部１１後方に戸当り部材８を突出させて取り付けてもいる。
【００３３】
又、該実施形態の吊り下げ式引き違い戸では、ストッパー手段５となるキャッチャー部材６以外、すなわち、戸板１（手前側の戸板１ａ、後側の戸板１ｂ）、ランナー２、上レール３、これに形成される開口部４、ガイドピン１２、下レール１３等の構成は、上記実施形態におけると全く同様である。ただ、ストッパー手段５となるキャッチャー部材６は設けられていないが、ランナー２を着脱自在にキャッチ（係合）して、戸板１を閉状態或いは開状態に保持するキャッチャー（図示せず）は設けられており、そのため、上記実施形態におけると同様に、該キャッチャーと係合する係止ローラー１７が同ランナー２の前後に突設されている。
【００３４】
又、図１２に示す如く、手前側の戸板１ａの開閉側端部１１の上端後面には戸当り本体ブロック２１が取着固定されており、戸当り部材８は同戸当り本体ブロック２１に着脱自在に取り付けられている。この場合、縦長の戸当り本体ブロック２１の中空上部内に横長の戸当り部材８の一方の端部が着脱自在に収容嵌合されて全体が略Ｌ字状となり、この状態では、同戸当り本体ブロック２１の外壁に形成された開口孔２２に同戸当り部材８の外面に突設された操作爪片２３が係止されている。そして、操作爪片２３を押し操作し開口孔２２から外すことにより、前記戸当り部材８を戸当り本体ブロック２１から抜き外すことができる。又、戸当り部材８の突出した他方の端部には、戸板１ｂの開閉側とは反対側の端部が当接されるクッション材２４が付設されている。
【００３５】
したがって、該実施形態の吊り下げ式引き違い戸においては、一方の戸板１ａに他方の戸板１ｂと当接して両戸板１が全開位置に至るのを阻止する戸当り部材８を取り外し可能に取り付け、該戸当り部材８がストッパー手段５となるので、同戸当り部材８を取り付けた通常状態では、該戸当り部材８と戸板１ｂとが当接していずれの戸板１も全開位置に至る直前で停止され、同戸当り部材８を取り外すことで、いずれの戸板１も全開位置に移動させられるようになって、各ランナー２を開口部４から出し入れすることができる。
【００３６】
又、この場合、前面に開口した収納家具９の該開口前面部１０に両戸板１を引き違い状に設け、手前側の戸板１ａの開閉側端部１１後方に上記戸当り部材８を突出させて取り付けているので、該戸当り部材８は通常の開閉時に邪魔にならず、後側に隠されて外観にも支障を来さない。又、手前側の戸板１ａの開閉側端部１１前方には、把手片２５が一体に突設されている。なお、それ以外は、上記実施形態と同様に構成されており、同上記実施形態におけると同様の作用効果が奏される。
【００３７】
【発明の効果】
上述の如く、本発明の請求項１記載の吊り下げ式引き違い戸においては、戸板を全開位置に移動させることで、該戸板と共に各ランナーを上レールから容易に取り外すことができ、メンテナンスや清掃作業等は簡単に行われる。又、通常の開閉時には戸板が全開位置に至る直前で停止されて、各ランナーは外れることなく比較的大きな範囲で確実に走行される。
【００３８】
又、本発明の請求項２記載の吊り下げ式引き違い戸においては、特に、キャッチャー部材にランナーが係合して、戸板は全開位置に至る直前で停止された開状態に保持され、その使い勝手が良好となり、同キャッチャー部材を取り外すことで、同戸板は全開位置に移動させられるようになる。
【００３９】
又、本発明の請求項３記載の吊り下げ式引き違い戸においては、特に、開口部に対して上記キャッチャー部材を容易に着脱させることができ、ストッパー手段の取り付け取り外し作業は簡単となる。
【００４０】
又、本発明の請求項４記載の吊り下げ式引き違い戸においては、特に、一方の戸板に取り付けられた戸当り部材と他方の戸板とが当接して、いずれの戸板も全開位置に至る直前で停止され、同戸当り部材を取り外すことで、いずれの戸板も全開位置に移動させられるようになる。
【００４１】
又、本発明の請求項５記載の吊り下げ式引き違い戸においては、特に、収納家具の開口前面部に引き違い状に設けられる手前側の戸板の開閉側端部後方に上記戸当り部材が取り付けられていて、該戸当り部材は通常の開閉時に邪魔にならず外観にも支障を来さない。
【００４２】
又、本発明の請求項６記載の吊り下げ式引き違い戸においては、特に、上吊り式でありながら、ガイドピンと下レールとにより下端両側でもスムーズにガイドされて、戸板を相互に干渉することなく引き違い状に開閉することができ、同ガイドピンを戸板と共に下レールから支障なく取り外すこともできる。
【図面の簡単な説明】
【図１】本発明の一実施形態である吊り下げ式引き違い戸の全体を示す正面側から見た要部断面図。
【図２】同吊り下げ式引き違い戸の要部を示す側面側から見た縦断面図。
【図３】同吊り下げ式引き違い戸における戸板の上部を示す概略正面図。
【図４】同吊り下げ式引き違い戸における上レールの要部を示す底面図。
【図５】同吊り下げ式引き違い戸における上レールの要部を示す正面側から見た拡大縦断面図。
【図６】同吊り下げ式引き違い戸における上レールを示す拡大縦断面図。
【図７】同吊り下げ式引き違い戸における上レールの全体を示す平面図。
【図８】同吊り下げ式引き違い戸における上レールの全体を示す底面図。
【図９】別の実施形態である吊り下げ式引き違い戸の要部を示す側面側から見た縦断面図。
【図１０】同吊り下げ式引き違い戸の要部を示す正面側から見た要部断面図。
【図１１】同吊り下げ式引き違い戸の要部を示す横断面図。
【図１２】同吊り下げ式引き違い戸の要部を示す斜視図。
【図１３】従来例である吊り下げ式引き違い戸が設けられた収納家具を示す斜視図。
【符号の説明】
１  戸板
１ａ  手前側の戸板
１ｂ  後側の戸板
２  ランナー
３  上レール
４  開口部
５  ストッパー手段
６  キャッチャー部材
７  係止部
８  戸当り部材
９  収納家具
１０  開口前面部
１１  開閉側端部
１２  ガイドピン
１３  下レール
【図１】
0003603763.tif 000002
【図２】
0003603763.tif 000003
【図３】
0003603763.tif 000004
【図４】
0003603763.tif 000005
【図５】
0003603763.tif 000006
【図６】
0003603763.tif 000007
【図７】
0003603763.tif 000008
【図８】
0003603763.tif 000009
【図９】
0003603763.tif 000010
【図１０】
0003603763.tif 000011
【図１１】
0003603763.tif 000012
【図１２】
0003603763.tif 000013
【図１３】
0003603763.tif 000014